(57)【要約】【課題】電源を切った状態や電波の届かなかったところでかかってきた電話の着信履歴が見れるようにする。【解決手段】回線接続装置サーバー２０は、発信者端末４０からユーザー携帯端末１０に電話をかけると、ユーザー携帯端末１０が電話応答不可状態か確認し前記電話応答不可状態の場合、予め具備したデータベースを確認し不在時着信履歴送付先が登録されている場合電話をかけた発信者端末４０の着信履歴のメールを予め登録してあるメールアドレスで作成する。メールサーバー３０は、メールを回線接続装置サーバー２０から受信し保存する。ユーザー携帯端末１０が前記電話応答不可状態でなくなった時に新着メールの確認をするとメールサーバー３０から着信履歴がメールされる。【選択図】　　　図１
2004088640.tif 000002
【特許請求の範囲】
【請求項１】
発信者端末から電源が入っていない状態や圏外状態を含む電話応答不可状態の着信者端末に電話がかかった場合に前記発信者端末の電話番号及び時間を含む着信履歴をメールにて前記着信者端末に配信するシステムにおける不在時着信履歴メール配信方法において、予め前記発信者端末と前記着信者端末の間に介在する回線接続装置サーバーとメールサーバーを用意し、前記発信者端末から前記着信者端末に電話をかけると、前記回線接続装置サーバーは前記着信者端末が前記電話応答不可状態か確認し、前記電話応答不可状態の場合、予め具備したデータベースを確認し不在時着信履歴送付先が登録されている場合、電話をかけた前記発信者端末の前記着信履歴のメールを予め登録してあるメールアドレスで作成し前記メールサーバーへ渡すことを特徴とする不在時着信履歴メール配信方法。
【請求項２】
前記回線接続装置サーバーは前記着信者端末が前記電話応答不可状態の場合、予め定められた内容のアナウンスを前記発信者端末に流すこと特徴とする請求項１記載の不在時着信履歴メール配信方法。
【請求項３】
前記着信者端末が前記電話応答不可状態でなくなった時に新着メールの確認をすると前記メールサーバーから前記着信履歴がメールされること特徴とする請求項１記載の不在時着信履歴メール配信方法。
【請求項４】
発信者端末から電源が入っていない状態や圏外状態を含む電話応答不可状態の着信者端末に電話がかかった場合に前記発信者端末の電話番号及び時間を含む着信履歴をメールにて前記着信者端末に配信するシステムにおける不在時着信履歴メール配信システムにおいて、前記発信者端末と前記着信者端末の間に介在する回線接続装置サーバーとメールサーバーであって、前記発信者端末から前記着信者端末に電話をかけると前記着信者端末が前記電話応答不可状態か確認し前記電話応答不可状態の場合、予め具備したデータベースを確認し不在時着信履歴送付先が登録されている場合電話をかけた前記発信者端末の前記着信履歴のメールを予め登録してあるメールアドレスで作成する前記回線接続装置サーバーと、前記メールを前記回線接続装置サーバーから受信し保存する前記メールサーバーとを含んで構成されることを特徴とする不在時着信履歴メール配信システム。
【請求項５】
前記回線接続装置サーバーは前記着信者端末が前記電話応答不可状態の場合、予め定められた内容のアナウンスを前記発信者端末に流すこと特徴とする請求項４記載の不在時着信履歴メール配信システム。
【請求項６】
前記着信者端末が前記電話応答不可状態でなくなった時に新着メールの確認をすると前記メールサーバーから前記着信履歴がメールされること特徴とする請求項４記載の不在時着信履歴メール配信システム。
【請求項７】
発信者端末から電源が入っていない状態や圏外状態を含む電話応答不可状態の着信者端末に電話がかかった場合に前記発信者端末の電話番号及び時間を含む着信履歴をメールにて前記着信者端末に配信するシステムにおける不在時着信履歴メール配信プログラムにおいて、予め前記発信者端末と前記着信者端末の間に介在する回線接続装置サーバープログラムとメールサーバープログラムを用意し、前記発信者端末から前記着信者端末に電話をかけると、前記回線接続装置サーバープログラムは前記着信者端末が前記電話応答不可状態か確認し、前記電話応答不可状態の場合、予め具備したデータベースを確認し不在時着信履歴送付先が登録されている場合、電話をかけた前記発信者端末の前記着信履歴のメールを予め登録してあるメールアドレスで作成し前記メールサーバープログラムへ渡すことを特徴とする不在時着信履歴メール配信プログラム。
【請求項８】
前記回線接続装置サーバープログラムは前記着信者端末が前記電話応答不可状態の場合、予め定められた内容のアナウンスを前記発信者端末に流すこと特徴とする請求項７記載の不在時着信履歴メール配信プログラム。
【請求項９】
前記着信者端末が前記電話応答不可状態でなくなった時に新着メールの確認をすると前記メールサーバープログラムから前記着信履歴がメールされること特徴とする請求項７記載の不在時着信履歴メール配信プログラム。
【発明の詳細な説明】
【０００１】
【発明の属する技術分野】
本発明は不在時着信履歴メール配信方法及び不在時着信履歴メール配信システム及び不在時着信履歴メール配信プログラムに関し、特に電源を切って連絡が取れない状態や電波の届かなかったところでかかってきた電話の着信履歴が見れるようにした不在時着信履歴メール配信方法及び不在時着信履歴メール配信システム及び不在時着信履歴メール配信プログラムに関する。
【０００２】
【従来の技術】
携帯電話は一人一台が当り前になって、コミュニケーション手段として幅広く使われている。いつでも連絡が取れるというのが携帯電話だから、圏外や電源を切って連絡が取れないというのはかなりの不便を感じる。メールであれば、メールアドレスが変更されていない限りサーバーに一定期間残っているのであとから問い合わせをして読むことをができて安心であるが、電話となると留守番電話以外誰から電話があったかわからない。留守番電話に登録していても、伝言を残してくれなければわからない不便さがある。
【０００３】
【発明が解決しようとする課題】
上述したように、従来の携帯電話は圏外や電源を切って連絡が取れない状態では、留守番電話以外誰から電話があったかわからないし、留守番電話に登録していても、伝言を残してくれなければわからないという問題があった。
【０００４】
本発明の目的は、上記問題点を解消し、通常の携帯と同じように電源を切った状態や電波の届かなかったところでかかってきた電話の着信履歴が見れるようにする不在時着信履歴メール配信システムを提供することにある。
【０００５】
【課題を解決するための手段】
本願の第１の発明は、発信者端末から電源が入っていない状態や圏外状態を含む電話応答不可状態の着信者端末に電話がかかった場合に前記発信者端末の電話番号及び時間を含む着信履歴をメールにて前記着信者端末に配信するシステムにおける不在時着信履歴メール配信方法において、予め前記発信者端末と前記着信者端末の間に介在する回線接続装置サーバーとメールサーバーを用意し、前記発信者端末から前記着信者端末に電話をかけると、前記回線接続装置サーバーは前記着信者端末が前記電話応答不可状態か確認し、前記電話応答不可状態の場合、予め具備したデータベースを確認し不在時着信履歴送付先が登録されている場合、電話をかけた前記発信者端末の前記着信履歴のメールを予め登録してあるメールアドレスで作成し前記メールサーバーへ渡すことを特徴とする。
【０００６】
本願の第２の発明は、第１の発明の前記回線接続装置サーバーは前記着信者端末が前記電話応答不可状態の場合、予め定められた内容のアナウンスを前記発信者端末に流すこと特徴とする。
【０００７】
本願の第３の発明は、第１の発明の前記着信者端末が前記電話応答不可状態でなくなった時に新着メールの確認をすると前記メールサーバーから前記着信履歴がメールされること特徴とする。
【０００８】
本願の第４の発明は、発信者端末から電源が入っていない状態や圏外状態を含む電話応答不可状態の着信者端末に電話がかかった場合に前記発信者端末の電話番号及び時間を含む着信履歴をメールにて前記着信者端末に配信するシステムにおける不在時着信履歴メール配信システムにおいて、前記発信者端末と前記着信者端末の間に介在する回線接続装置サーバーとメールサーバーであって、前記発信者端末から前記着信者端末に電話をかけると前記着信者端末が前記電話応答不可状態か確認し前記電話応答不可状態の場合、予め具備したデータベースを確認し不在時着信履歴送付先が登録されている場合電話をかけた前記発信者端末の前記着信履歴のメールを予め登録してあるメールアドレスで作成する前記回線接続装置サーバーと、前記メールを前記回線接続装置サーバーから受信し保存する前記メールサーバーとを含んで構成されることを特徴とする。
【０００９】
本願の第５の発明は、第４の発明の前記回線接続装置サーバーは前記着信者端末が前記電話応答不可状態の場合、予め定められた内容のアナウンスを前記発信者端末に流すこと特徴とする。
【００１０】
本願の第６の発明は、第４の発明の前記着信者端末が前記電話応答不可状態でなくなった時に新着メールの確認をすると前記メールサーバーから前記着信履歴がメールされること特徴とする。
【００１１】
本願の第７の発明は、発信者端末から電源が入っていない状態や圏外状態を含む電話応答不可状態の着信者端末に電話がかかった場合に前記発信者端末の電話番号及び時間を含む着信履歴をメールにて前記着信者端末に配信するシステムにおける不在時着信履歴メール配信プログラムにおいて、予め前記発信者端末と前記着信者端末の間に介在する回線接続装置サーバープログラムとメールサーバープログラムを用意し、前記発信者端末から前記着信者端末に電話をかけると、前記回線接続装置サーバープログラムは前記着信者端末が前記電話応答不可状態か確認し、前記電話応答不可状態の場合、予め具備したデータベースを確認し不在時着信履歴送付先が登録されている場合、電話をかけた前記発信者端末の前記着信履歴のメールを予め登録してあるメールアドレスで作成し前記メールサーバープログラムへ渡すことを特徴とする。
【００１２】
本願の第８の発明は、第７の発明の前記回線接続装置サーバープログラムは前記着信者端末が前記電話応答不可状態の場合、予め定められた内容のアナウンスを前記発信者端末に流すこと特徴とする。
【００１３】
本願の第９の発明は、第７の発明の前記着信者端末が前記電話応答不可状態でなくなった時に新着メールの確認をすると前記メールサーバープログラムから前記着信履歴がメールされること特徴とする。
【００１４】
「作用」
本発明は、電源が入っていない状態や圏外で電話がつながらない状態で電話がかかっていた場合に、その着信があった電話番号、時間をメールにて配信する不在時着信履歴メール配信システムを提供するものである。
【００１５】
不在時着信履歴送付先を登録する回線接続装置サーバーと、その情報をメールにて配信するメールサーバーとを備え、回線接続装置サーバーは、接続先の電話番号の携帯が電源切か圏外の場合、電話をかけた発信者端末の電話番号と時間を登録してあるアドレスでメールを作成し、メールサーバーへ渡す。その後、着信端末が電源を入れたり、圏外でなくなった時に、新着メールの確認をしに行ってもらい、メールサーバーから着信端末に着信履歴がメールされる。
【００１６】
【発明の実施の形態】
次に、本発明の実施の形態について図面を参照して詳細に説明する。
【００１７】
図１は、本発明の一実施の形態を示すシステム構成図、図２は本発明の一実施の形態を示す動作フロー図、図３〜図５は、本発明の動作説明図である。
【００１８】
図１を参照すると、発明の不在時着信履歴メール配信システムの第１の実施の形態は、ユーザー携帯端末１０（着信）と、携帯通信会社等にある回線接続装置サーバー２０、メールの送受信に必要な通信会社等にあるメールサーバー３０、発信者端末４０、これらを相互に接続する通信ネットワーク１００とから構成されている。
【００１９】
ユーザー携帯端末１０（着信）は、電子メールの送受信が可能な携帯端末装置である。ユーザー携帯端末１０（着信）は、携帯通信会社が公衆網などのネットワーク１００上に提供している回線接続装置サーバー２０にアクセスし、不在時着信履歴メール配信の有無を設定する画面を表示する機能を備えている。情報としては、メール配信の有無、連絡先のメールアドレス等の情報を含む。
【００２０】
回線接続装置サーバー２０は、データベースの入っているワークステーションなどの情報処理装置によって構成される。
【００２１】
回線接続装置サーバー２０は、電話回線接続をする装置にサーバーを付加したものである。回線接続装置サーバー２０は、電話がかかって来た際に相手が電源切や圏外だった場合、着信履歴をサーバーに登録してあるアドレスにメール作成し、メールサーバー３０に渡す。
【００２２】
回線接続装置サーバー２０は、ユーザー情報のデータベースが入っているので、サーバーの中身が消えても困らないように、ある一定期間ごとにバックアップを取ることが望ましい。
【００２３】
メールサーバー３０は、ワークステーションなどの情報処理装置によって構成される。
【００２４】
メールサーバー３０は、領域ごとに決められたユーザーが使用している。サーバーの中身が消えても困らないように、ある一定期間ごとにバックアップを取ることが望ましい。
【００２５】
発信者端末４０は、電子メールの送受信が可能な携帯電話、固定電話、あるいは公衆電話である。
【００２６】
次に、図１、２、３、４及び５を参照して本実施例の動作について詳細に説明する。なお、以降の説明では、ネットワーク１００は電話網とインターネットであるとする。
【００２７】
図２を参照すると、着信履歴転送の要否設定をしたい登録者は、自分のユーザー携帯端末１０（着信）を介して、自分の携帯会社がインターネット上の回線接続装置サーバー２０に開設しているホームページにアクセスし、電源切時、及び圏外時の着信履歴転送の要否設定を行う。
【００２８】
図３に示すような入力画面が表示され、登録者は登録する旨とメールアドレスの登録を行う。そして登録者の指示（図３の「設定」ボタンをクリック）によって回線接続装置サーバー２０にインターネットを介して送信される（ステップＡ１）。
【００２９】
回線接続装置サーバー２０は登録者の電話番号に対する着信履歴送付先をデータベースに設定する（ステップＡ２）。
【００３０】
あるユーザーが発信者端末４０を使って、ユーザー携帯端末１０（着信）に電話を電話網１００を介してかける（ステップＡ３）。
【００３１】
回線接続装置サーバー２０から、その電話番号の携帯（ユーザー携帯端末１０（着信））が電源切か圏外か確認し（ステップＡ４）、電源切か圏外の場合、「お客様のおかけになられた電話番号は現在、電波の届かないところにおられるか、電源が入っていないためかかりません」とアナウンスが発信者端末４０に流れる（ステップＡ５）。（・電源切か圏外ではない場合；リングバックトーンが鳴り、ユーザー端末１０（着信）に呼出音が鳴る。）
その際回線接続装置サーバー２０はデータベースを確認し、不在時着信履歴送付先が登録されている場合、電話をかけた発信者端末４０の電話番号と時間を登録してあるアドレスでメールを作成し、「着信履歴メールを送りました。」と電話をかけた発信者端末４０に案内を出し（ステップＡ６）、メールサーバー３０へ渡す（ステップＡ７）。
【００３２】
その後、ユーザー携帯端末１０（着信）が電源を入れたり、圏外でなくなった時に、新着メールの確認をしに行ってもらい、メールサーバー３０からユーザー携帯端末１０（着信）に図４、図５のような着信履歴がメールされる（ステップＡ８）。
【００３３】
上述したように、本発明は、病院などで電源を切っていたり、圏外にいたりしても、急ぎや重要な電話が入った場合、留守番電話サービスに登録していない人でも、いつ誰から電話があったかがわかる。
【００３４】
【発明の効果】
以上説明したように、本発明は、電源を切った状態や電波の届かなかったところでかかってきた電話の着信履歴が見れるようになり、急ぎや重要な電話が入った場合、いつ誰から電話があったかが容易にわかる効果がある。
【図面の簡単な説明】
【図１】本発明の一実施の形態を示すシステム構成図である。
【図２】本発明の一実施の形態を示す動作フロー図である。
【図３】本発明の動作説明図である。
【図４】本発明の動作説明図である。
【図５】本発明の動作説明図である。
【符号の説明】
１０　　ユーザー携帯端末
２０　　回線接続装置サーバー
３０　　メールサーバー
４０　　発信者端末
１００　　通信ネットワーク
【図１】
2004088640.tif 000003
【図２】
2004088640.tif 000004
【図３】
2004088640.tif 000005
【図４】
2004088640.tif 000006
【図５】
2004088640.tif 000007